(57)【要約】【課題】どのぺージ画像についても印刷されるぺージが視覚的に把握でき，操作者が印刷に当って所望のページが印刷されるかどうかを事前に正確に把握することができる画像形成装置を提供すること。【解決手段】複数ページ分の両面印刷用データに基づいて前記ページ画像の印刷プレビュー画像を表示するにあたって，記録材を重ね置きした状態から最上面の記録材の一部がめくり返された状態における最上面の記録材のうら面部分に相当する領域及び２枚目の記録材のおもて面部分に相当する領域について，特定されたページの次の２ページ分の前記ページ画像それぞれの画像をＮｉｎ１設定した各ぺージ画像毎にめくり返し表示されるようにした画像形成装置。【選択図】図５
2010028255.tif 000002
【特許請求の範囲】
【請求項１】
所定の記憶手段に記憶された複数ページ分のページ画像に関する両面印刷用データに基づいて，前記ページ画像の印刷プレビュー画像を表示手段に表示させる画像形成装置であって，
所定の操作部を通じて入力される情報に基づいて，前記印刷用データに基づく両面印刷が行われた場合に記録材のおもて面に形成される一の前記ページ画像のページを特定するページ特定手段と，
複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定手段により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示手段と，
を備えてなる画像形成装置において，
Ｎ枚の原稿画像を１枚の記録材に印字するＮｉｎ１印刷設定時に，前記めくり返し画像表示手段が，前記１枚の記録材中の前記各原稿画像毎に前記めくり返し画像表示を行うようにしたことを特徴とする画像形成装置。
【請求項２】
所定の記憶手段に記憶された複数ページ分のページ画像に関する両面印刷用データに基づいて，前記ページ画像の印刷プレビュー画像を表示手段に表示させる画像形成装置であって，
所定の操作部を通じて入力される情報に基づいて，前記印刷用データに基づく両面印刷が行われた場合に記録材のおもて面に形成される一の前記ページ画像のページを特定するページ特定手段と，
複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定手段により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示手段と，
を備えてなる画像形成装置において，
前記ページ画像が，Ｎ枚の原稿画像が１枚の記録材に印字されているＮｉｎ１形式の画像である場合に，前記めくり返し画像表示手段が，前記１枚のページ画像中の前記各原稿画像毎に前記めくり返し画像表示を行うようにしたことを特徴とする画像形成装置。
【請求項３】
Ｎ枚の原稿画像が１枚の記録材に印字されているＮｉｎ１形式の画像を各原稿画像毎のページ画像に分割するページ分割手段を更に備え，前記めくり返し画像表示手段が，上記ページ分割手段により分割されたページ画像毎に前記めくり返し画像表示を行うようにした請求項２に記載の画像形成装置。
【請求項４】
所定の記憶手段に記憶された複数ページ分のページ画像に関する両面印刷用データに基づいて，前記ページ画像の印刷プレビュー画像を表示手段に表示させる画像形成装置における印刷プレビュー画像表示プログラムであって，
所定の操作部を通じて入力される情報に基づいて，前記印刷用データに基づく両面印刷が行われた場合に記録材のおもて面に形成される一の前記ページ画像のページを特定するページ特定工程と，
複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定工程により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示工程と，
を備えてなる印刷プレビュー画像表示プログラムにおいて，
Ｎ枚の原稿画像を１枚の記録材に印字するＮｉｎ１印刷設定時に，前記めくり返し画像表示工程が，前記１枚の記録材中の前記各原稿画像毎に前記めくり返し画像表示を行うようにしたことを特徴とする印刷プレビュー画像表示プログラム。
【請求項５】
所定の記憶手段に記憶された複数ページ分のページ画像に関する両面印刷用データに基づいて，前記ページ画像の印刷プレビュー画像を表示手段に表示させる画像形成装置における印刷プレビュー画像表示プログラムであって，
所定の操作部を通じて入力される情報に基づいて，前記印刷用データに基づく両面印刷が行われた場合に記録材のおもて面に形成される一の前記ページ画像のページを特定するページ特定工程と，
複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定工程により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示工程と，
を備えてなる印刷プレビュー画像表示プログラムにおいて，
前記ページ画像が，Ｎ枚の原稿画像が１枚の記録材に印字されているＮｉｎ１形式の画像である場合に，前記めくり返し画像表示工程が，前記１枚のページ画像中の前記各原稿画像毎に前記めくり返し画像表示を行うようにしたことを特徴とする印刷プレビュー画像表示プログラム。
【請求項６】
Ｎ枚の原稿画像が１枚の記録材に印字されているＮｉｎ１形式の画像を各原稿画像毎のページ画像に分割するページ分割工程を更に備え，前記めくり返し画像表示工程が，上記ページ分割工程により分割されたページ画像毎に前記めくり返し画像表示を行うようにした請求項５に記載の印刷プレビュー画像表示プログラム。
【発明の詳細な説明】
【技術分野】
【０００１】
本発明は，印刷プレビュー表示機能を備えた画像形成装置及び印刷プレビュー処理をコンピュータに実行させるための印刷プレビュー画像表示プログラムに関するものである。
【背景技術】
【０００２】
複写機やファクシミリ装置等の画像形成装置は，原稿から読み取った１ページ分又は複数ページ分の画像（以下，ページ画像という）に関する印刷用データ（画像データや印刷ジョブデータなど）に基づいて，そのページ画像を記録紙に出力（画像形成）したときのイメージ画像（プレビュー画像）を液晶パネル等の表示部に表示させる印刷プレビュー機能を備えたものがある。この印刷プレビュー機能は，ユーザの意に反する無駄な画像形成を防止し，記録紙や現像剤の無駄な消費を抑制する上で重要な機能である。
例えば，特許文献１には，製本を予定されて両面印刷が行われるときの印刷結果をプレビュー表示する際に，各ページ画像を表示部に並べて表示させることが示されている。
また，特許文献２には，複数ページ分のページ画像（縮小画像）の一部を重ねた状態で表示部に並べて表示させることが示されている。
【特許文献１】特開２００４−１６４１０５号公報
【特許文献２】特開平４−３７３０７３号公報
【発明の開示】
【発明が解決しようとする課題】
【０００３】
ところで，両面印刷の印刷結果は，印刷（画像形成）前に，各ページ画像のページ順序及び表裏関係の両方をプレビュー画像によって確認できることが重要となる。特に，両面印刷により得られた複数枚の記録紙を綴じる（製本する）ことを予定している場合，各ページ画像のページ順序及び表裏関係の両方を，実際に綴じられた記録紙の状態をプレビュー画像によって直感的に確認できることが望ましい。
しかしながら，両面印刷の印刷結果をプレビュー表示する場合，特許文献１や特許文献２のように，各印刷ページ画像を並べた状態のプレビュー画像を表示させるだけでは，各ページ画像のページ順序及び表裏関係の両方を直感的に把握し難い。
そこで本出願人は，積み重ねられた原稿の最上層の原稿の一部をめくったプレビュー画像を表示し，上記最上層の原稿の裏面の画像のうちの，めくられることによって露出するようになった部分と，上記最上層の原稿の次の原稿のおもて面の画像であって，前記のように最上層の原稿がめくられることによって露出した部分のそれぞれに，最上層の原稿の裏面原稿の画像と２枚目の原稿の表面の画像を縮小した画像をそれぞれ表示するようにした画像形成装置を特許出願した（特願２００７−０１３７８９号出願）。
この新たなプレビュー方式では，両面印刷される原稿が重ねあわされた状態をイメージしつつ，その裏面や更にその次の面の画像の一部を実際にみることができるので，紙原稿を実際に原稿をめくるような感覚で裏面や２枚目の原稿を確認することができ，ユーザの感覚に沿ったプレビュー表示を可能とするものである。
【０００４】
しかしながら上記した新しいプレビュー方式では，めくり返された部分に表示される目繰り返し画像が，いつも記録紙の一端部のみに形成されるものであるが，Ｎ枚の原稿画像を１枚の記録材に印字するＮｉｎ１印刷設定時あるいは，前記ページ画像が，Ｎ枚の原稿画像が１枚の記録材に印字されているＮｉｎ１形式の画像である場合には，記録紙に記録された他の原稿ページ画像については，めくり返されない。例えば２ｉｎ１の印刷設定あるいは印刷物では，いつも奇数ページの画像についてはめくられないため，原稿をめくるような感覚で裏面や２枚目の原稿を確認することや，ユーザの感覚に沿ったプレビュー表示がこれら奇数ページについてはできないという不都合があった。
【０００５】
従って，本発明は上記事情に鑑みてなされたものであり，その目的とするところは，Ｎｉｎ１の印刷設定あるいは印刷物からの画像形成の場合であっても，全てのページについてめくり返し表示ができるようにして，人間にとって見やすいプレビュー表示処理が可能な画像形成装置及び印刷プレビュー画像表示プログラムを提供することである。
【課題を解決するための手段】
【０００６】
上記目的を達成するために，本発明に係る画像形成装置は，所定の記憶手段に記憶された複数ページ分のページ画像に関する両面印刷用データに基づいて，前記ページ画像の印刷プレビュー画像を表示手段に表示させる画像形成装置であって，所定の操作部を通じて入力される情報に基づいて，前記印刷用データに基づく両面印刷が行われた場合に記録材のおもて面に形成される一の前記ページ画像のページを特定するページ特定手段と，複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定手段により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示手段と，を備えてなる画像形成装置において，Ｎ枚の原稿画像を１枚の記録材に印字するＮｉｎ１印刷設定時に，前記めくり返し画像表示手段が，前記１枚の記録材中の前記原稿画像毎に前記めくり返し画像表示を行うようにしたことを特徴とする画像形成装置である。
また前記ページ画像が，Ｎ枚の原稿画像が１枚の記録材に印字されているＮｉｎ１形式の画像である場合には，所定の記憶手段に記憶された複数ページ分のページ画像に関する両面印刷用データに基づいて，前記ページ画像の印刷プレビュー画像を表示手段に表示させる画像形成装置であって，所定の操作部を通じて入力される情報に基づいて，前記印刷用データに基づく両面印刷が行われた場合に記録材のおもて面に形成される一の前記ページ画像のページを特定するページ特定手段と，複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定手段により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示手段と，を備えてなる画像形成装置において，前記ページ画像が，Ｎ枚の原稿画像が１枚の記録材に印字されているＮｉｎ１形式の画像である場合に，前記めくり返し画像表示手段が，前記１枚のページ画像中の前記各原稿画像毎に前記めくり返し画像表示を行うようにしたことを特徴とする画像形成装置としても把握できる。
この場合，Ｎ枚の原稿画像が１枚の記録材に印字されているＮｉｎ１形式の画像を各原稿画像毎のページ画像に分割するページ分割手段を更に備え，前記めくり返し画像表示手段が，上記ページ分割手段により分割されたページ画像毎に前記めくり返し画像表示を行うようにすることも可能である。
【発明の効果】
【０００７】
本発明によれば，所定の記憶手段に記憶された複数ページ分のページ画像に関する両面印刷用データに基づいて，前記ページ画像の印刷プレビュー画像を表示手段に表示させる画像形成装置であって，所定の操作部を通じて入力される情報に基づいて，前記印刷用データに基づく両面印刷が行われた場合に記録材のおもて面に形成される一の前記ページ画像のページを特定するページ特定手段と，複数枚の記録材を重ね置きした状態から最上面の記録材の一部がめくり返された状態における，前記最上面の記録材のおもて面部分に相当する第１の領域，前記最上面の記録材のうら面部分に相当する第２の領域及び２枚目の記録材のおもて面部分に相当する第３の領域について，前記第１の領域には前記ページ特定手段により特定されたページの前記ページ画像のめくり返されていない部分の画像を表示し，前記第２の領域及び前記第３の領域それぞれには,前記ページ特定手段により特定されたページの次の２ページ分のそれぞれの画像を表示させるめくり返し画像表示処理を行うめくり返し画像表示手段と，を備えてなる画像形成装置において，Ｎ枚の原稿画像を１枚の記録材に印字するＮｉｎ１印刷設定時に，前記めくり返し画像表示手段が，前記１枚の記録材中の前記各原稿画像毎に前記めくり返し画像表示を行うようにしたことを特徴とする画像形成装置の場合，Ｎｉｎ１の印刷設定がされている場合に，１枚の記録材中の前記各原稿画像毎に前記めくり返し画像表示が行われるので，どのぺージ画像についても印刷されるぺージが視覚的に把握でき，操作者が印刷に当って所望のページが印刷されるかどうかを事前に正確に把握することができる画像形成装置が提供される。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る画像形成装置Ｘの主要部の構成を表すブロック図，図２は画像形成装置Ｘにおける印刷プレビュー表示処理の手順を表すフローチャート，図３は画像形成装置Ｘにおける印刷プレビュー画面の第１の例を表す図，図４は画像形成装置Ｘにおける印刷プレビュー画面の第２の例を表す図，図５は画像形成装置ＸにおけるＮｉｎ１の印刷設定における印刷プレビュー画面を示す図である。
【０００９】
本発明の実施形態に係る画像形成装置Ｘは，例えば複写機やプリンタ，ファクシミリ装置等の画像形成装置であって，事前にハードディスク等のデータ記憶部に記憶された複数ページ分のページ画像に関する印刷用データに基づいて，そのページ画像の印刷プレビュー画像を表示部に表示させる印刷プレビュー機能を備えている。
まず，図１に示すブロック図を参照しつつ，本発明の実施形態に係る画像形成装置Ｘの主要部の構成について説明する。
画像形成装置Ｘは，スキャナ機能，プリント機能，コピー機能及びファクシミリ機能を備えたいわゆる複合機である。
図１に示すように，画像形成装置Ｘは，メイン制御部１，操作・表示部２，データ記憶部３，画像処理演算部４，ＮＩＣ５，スキャナ部６，プリント部７及びファクシミリ部８等を備え，それらがバス１１を通じて情報の受け渡しが可能な状態で接続されている。
前記操作・表示部２は，情報を入力するための操作部２ａと情報（画像を含む）を表示する表示部２ｂとを備えるものである。その操作部２ａは，例えば，液晶表示装置の表面に設けられたタッチパネルやシートキー等である。また，前記表示部２ｂは，例えば，液晶表示装置である。この操作・表示部２により，利用者に対するマンマシンインターフェースが構成されている。
前記データ記憶部３は，原稿から読み取って得られた画像データの処理や，画像データのプリント処理等の際に，必要に応じてその処理データを記憶する読み書き自在な大容量の不揮発メモリである。
前記画像処理演算部４は，専用の信号処理回路或いはＤＳＰ（Digital Signal Processor）等により構成され，画像データについて各種画像処理を行い，所定の印刷ジョブ記述言語で記述された印刷ジョブを画像形成に用いるビットマップ画像データに変換する処理や，外部装置へ送信する画像データ（例えば，ＪＰＥＧ形式等の所定の符号化がなされた画像データ等）の生成処理等を行うものである。
【００１０】
前記ＮＩＣ５は，例えば標準規格ＩＥＥＥ８０２．３に準拠したＬＡＮ及びインターネット等からなるネットワークを通じて，情報処理端末や電子メールサーバ等の外部装置との間でデータ（スキャナ部６による読み取り画像のデータを含む）の送受信を行う通信インターフェースである。
前記スキャナ部６は，不図示のガラス製の原稿台上に載置された原稿や，不図示のＡＤＦにより搬送される原稿から，その原稿に形成された画像をそのカラー（Ｒ，Ｇ，Ｂ）を区別して読み取るカラースキャナである。
前記プリント部７は，前記メイン制御部１によって制御されるいわゆるプリントエンジンであり，不図示の給紙カセットに収容された記録紙を１枚ずつ順次送り出し，所定の画像形成位置を経て排紙トレイまで搬送するとともに，その画像形成位置において，前記スキャナ部６により原稿から読み取られた原稿の画像データや，画像処理演算部４により生成された印刷用の画像データ等に基づいて，記録紙（記録材の一例）に画像を形成（出力）する機器及びその機器を制御するＭＰＵ等の部品の集合である。また，プリント部７は，記録紙のおもて面とうら面との両方に画像形成を行う両面印刷処理を実行する機能を備えている。
前記ファクシミリ部８は，ＮＣＵ（Network Control Unit）やモデム等の通信手段を備え，ダイヤルアップや通信相手（相手局）との間で通信方法を決定するネゴシエーション処理等を行い，電話回線を通じて他のファクシミリ装置とファクシミリデータ（スキャナ部６による読み取り画像データ）の送受信を行うものである。
【００１１】
前記メイン制御部１は，前記スキャナ部６，前記プリント部７，前記ファクシミリ部８，前記操作・表示部２，前記データ記憶部３及び前記画像処理演算部４の各々を制御するものである。
例えば，メイン制御部１は，プリント部７に，ＮＩＣ５を通じて受信される印刷ジョブに基づく印刷処理（画像形成処理）を実行させる。また，メイン制御部１は，ファクシミリ部８に，指定された送信先の電話番号を発呼して送信対象となる画像データを送信するファクシミリ送信処理を実行させる。さらに，メイン制御部１は，スキャナ部６に，原稿からその原稿に形成された画像を読み取るスキャン処理を実行させる。
また，メイン制御部１は，前記スキャナ部６により原稿から読み取った１ページ分又は複数ページ分の画像（以下，ページ画像という）に関する印刷用データ（画像データや印刷ジョブデータなど）に基づいて，そのページ画像を記録紙に出力（画像形成）したときのイメージ画像（プレビュー画像）を，前記表示部２ｂに表示させる印刷プレビュー処理も実行する。
【００１２】
続いて，図２に示すフローチャート，及び図３〜図６に示す印刷プレビュー画面の例を参照しつつ，画像処理装置Ｘが実行する印刷プレビュー処理の手順について説明する。
図２に示す処理が実行される前に，予め印刷用データが前記データ記憶部３に記憶されているものとする。その印刷用データは，前述したように，外部装置から前記ＮＩＣ５を通じて入力される印刷ジョブや，前記スキャナ部６によって読み取られた画像データ等である。なお，以下に示すＳ１，Ｓ２，…は，処理手順（ステップ）の識別記号を表す。
【００１３】
［ステップＳ１〜Ｓ４］
まず，前記メイン制御部１は，前記表示部２ｂに所定の初期メニュー画面を表示させ（Ｓ１），前記操作部２ａを通じて前記初期メニューにおける処理項目の選択操作がなされたか否かを監視する（Ｓ２）。
そして，前記メイン制御部１は，前記初期メニューの表示中に何らかの処理項目の選択操作がなされたことを検知すると，その操作に応じた処理を実行する。
即ち，前記初期メニューに対する操作が，印刷プレビュー表示の処理を要求する操作（印刷プレビュー操作）である場合，前記メイン制御部１は，ページ番号を表す変数ｉに初期値（＝１）を設定した上で（Ｓ３），前記データ記憶部３に処理対象として記憶されている前記印刷用データが，予め両面印刷の対象として選択されている両面印刷用データであるか否かを判別する（Ｓ４）。
前記両面印刷用データは，複数ページ分のページ画像に関する印刷ジョブデータ或いは読み取り画像データ等である。
なお，前記変数ｉは，後述する通常モードの両面印刷用モードに基づく両面印刷が行われた場合には，記録紙のおもて面に形成される一のページ画像のページを表す変数である。この場合には，変数ｉの値は１以上の奇数値である。
前記変数ｉは，後述する２ｉｎ１モードの両面印刷用モードに基づく両面印刷が行われた場合には，記録紙のおもて面の左側に形成される一のページ画像のページを表す変数である。この場合にも，変数ｉの値は２以上の奇数値である。ただしこの変数ｉの定義は見た目におけるものを基準にしているだけで，例えば２ｉｎ１印刷モードにおいても，記録紙のおもて面の左側に形成される一のページ画像のページを表す変数と考えれば，変数ｉは２以上の偶数値となる。
また，ステップＳ３の処理を実行する前記メイン制御部１が，前記操作部２ａを通じて入力される情報（印刷プレビュー表示を要求する情報）に基づいて，変数ｉの値を特定する前記ページ特定手段の一例である。
【００１４】
［ステップＳ５，Ｓ６］
そして，前記メイン制御部１は，ステップＳ４において前記印刷用データが両面印刷用データであると判別した場合，その両面印刷用データに基づいて，（ｉ−１）ページから（ｉ＋２）ページまでの４ページ分のページ画像データを生成する（Ｓ５）。なお，ステップＳ５において，（ｉ−１）ページから（ｉ＋２）ページまでの４ページ分のページ画像のうち，前記両面印刷用データに含まれないページに関する画像データは生成されないことはいうまでもない。
次に，前記メイン制御部１は，その時点での印刷プレビューの表示モードが，「通常モード」及び「２ｉｎ１モード」のいずれの状態であるかを判別する（Ｓ６）。前記表示モードは，前記両面印刷用データに基づく印刷プレビュー画像の表示処理において，どのような種類の印刷プレビュー画像を前記表示部２ｂに表示させる状態であるかを識別する情報であるが，その画像の内容については後述する。また，前記表示モードは，初期状態が「通常モード」であり，その後，前記操作部２ｂを通じた入力操作に応じて「通常モード」及び「２ｉｎ１モード」のいずれかに切り替えられる。なお，２ｉｎ１モードはＮｉｎ１モード（Ｎ=２，以上の偶数値９）の一例であり，Ｎ=４以上でも同様の処理がなされるがここでは省略する。
【００１５】
［ステップＳ７］
前記表示モードが「通常モード」である場合，前記メイン制御部１は，ステップＳ５で生成した（ｉ−１）ページから（ｉ＋２）ページまでの４ページ分のページ画像のデータに基づいて，「通常モード」用の印刷プレビュー画像のデータを生成し，その印刷プレビュー画像を前記表示部２ｂに表示させる。
図３及び図４は，「通常モード」用の印刷プレビュー画像の表示画面の一例である。図３は，ページ変数ｉ＝１であるため（ｉ−１）ページのページ画像が存在しない場合の例であり，図４は，ページ変数ｉ＝３であり（ｉ−１）ページから（ｉ＋２）ページまで（２〜５ページ）の４ページ分のページ画像が存在する場合の例である。
【００１６】
図３及び図４に示すように，前記メイン制御部１が前記表示部２ｂに表示させる印刷プレビュー画像は，複数枚の記録紙を重ね置きした状態から最上面（ｉページ目）の記録紙の一部（例えば，右下部）がめくり返された状態を表す画像（以下，めくり返し画像ｇ１という）を含む。従って，前記めくり返し画像ｇ１には，最上面の記録紙のおもて面（ｉページ目）部分に相当する第１の領域ｐ１，その最上面の記録材のうら面（ｉ＋１ページ目）部分に相当する第２の領域ｐ２，及び２枚目の記録材のおもて面（ｉ＋２ページ目）部分に相当する第３の領域ｐ３が存在する。
そして，「通常モード」において，前記メイン制御部１は，前記めくり返し画像ｇ１における前記第１〜第３の領域ｐ１〜ｐ３のそれぞれに，前述したステップＳ３又は後述するステップＳ９の処理により設定（特定）したｉページから３ページ分の前記ページ画像それぞれの一部ｇ１２，ｇ２２，ｇ３２を表示させる。
【００１７】
より具体的には，前記メイン制御部１は，前記表示モードにかかわらず，前記めくり返し画像ｇ１における前記第１の領域ｐ１には，前記両面印刷用データに基づく両面印刷処理によって前記第１の領域ｐ１に相当する部分，即ち，ｉページ目のページ画像のうち記録紙のめくり返しによって隠れる部分を除いた残りのめくり返されていない部分に形成される画像ｇ１２（ページ画像の一部）をそのまま表示させる。
また，前記メイン制御部１は，前記通常モードにおいては，前記めくり返し画像ｇ１における前記第２の領域ｐ２及び前記第３の領域ｐ３それぞれに，前記両面印刷用データに基づく両面印刷によって前記第２の領域ｐ２及び前記第３の領域ｐ３それぞれに相当する部分に形成される前記ページ画像の一部ｇ２２，ｇ３２をそのまま表示させる。これにより，図４に示す例では，前記第２の領域ｐ２には（ｉ＋１）ページ目のページ画像の左下隅の部分の画像ｇ２２が，前記第３の領域ｐ３には（ｉ＋２）ページ目のページ画像の右下隅の部分の画像ｇ３２がそれぞれ表示されている。
さらに，前記メイン制御部１は，前記第１〜第３の領域ｐ１〜ｐ３のそれぞれに，各領域に対応するページ番号情報ｇ１１，ｇ２１，ｇ３１も表示させる。
また，前記メイン制御部１は，ページ番号ｉが１を超える場合，図４に示すように，ｉページの一つ前の（ｉ−１）ページの前記ページ画像ｇ０と前記めくり返し画像ｇ１とが見開き状態で並ぶ前記印刷プレビュー画像を前記表示部２ｂに表示させる（Ｓ７）。
また，前記メイン制御部１は，前記印刷プレビュー画像とともに，表示対象ページの変更用操作ボタンｇ４と，前記表示モードの変更用操作ボタンｇ５と，終了ボタンｇ６とを，前記操作部２ａと兼用される前記表示部２ｂに表示させる（Ｓ７）。
【００１８】
［ステップＳ８，Ｓ９］
一方，前記メイン制御部１は，前記表示モードが「２ｉｎ１モード」であると判断した場合（即ち，Ｓ６で，前記表示モードの変更用操作ボタンｇ５がユーザによって押されることによって，印刷モードが２ｉｎ１モードに切り換えられていると判断された場合），まず図５（ａ）に示す２ｉｎ１の印刷モードによるプレビュー画面を表示する。このような２ｉｎ１の印刷モードによるプレビュー画面は周知であるので詳細は省略するが，要するに，最初のページであれば（ａ）のように１ぺージ目と２ぺージ目のページ画像ｐ１，ｐ２が左右に並べて表示される。その際，現在めくり返し表示が可能な状態であることを示す表示ｍｒ，ｍｌを左右のぺージの角部にそれぞれ表示しておくことも好ましい。
さらに，めくりり返しを指示するための矢印などで示すめくり返しボタンｎｒとｎｌを設けておくこともできる。右側のめくり返しボタンｎｒが押されると右側のぺージが表示ｍｒの部分でめくられ，左側のめくり返しボタンｎｌが押されると左側のぺージが表示ｍｌの部分でめくられるようにプログラムされる。
図５（ｂ）はめくり返しボタンｎｒのみが押された場合を，（ｃ）はめくり返しボタンｎｒとｎｌの両方が押されたために，左右のページの一部がそれぞれめくられた状態を示している。
例えば（ｃ）のようにめくり返しボタンｎｒとｎｌの両方が押されると，前記メイン制御部１は，前述したステップＳ３の処理により設定（特定）したページ数ｉに基づき，ｉページ目のページ画像からｉ+５ページ目までのぺージ画像から，図５のめくり返し部分（図６(ｃ)におけるＰ３，Ｐ４，ｐ５，ｐ６）とめくり返されていない部分の各領域にはめ込まれる画像（ｐ１，ｐ２）を画像記憶部に作成する（Ｓ８）。
そして，前記メイン制御部１は，ステップＳ５で生成したｉページからｉ＋５（図５の場合は１〜６）ページまでの６ぺージ分のページ画像のデータに基づいて，ｐ１〜ｐ６の印刷プレビュー画像のデータを生成し，その印刷プレビュー画像を前記表示部２ｂに表示させる（Ｓ９）。
即ち，この実施形態では２ｉｎ１モードであるから，現在表示されている印刷ページの左半分にはｉぺージのめくり返されていない部分の画像ｐｉ（この場合ｐ１），ｉ+２ぺージのめくり返された画像ｐ３，ｉ+４ぺージのめくり返された画像ｐ５が，また右半分にはｉ+１ぺージのめくり返されていない部分の画像ｐ２，ｉ+３ぺージのめくり返された画像ｐ４，ｉ+５ぺージのめくり返された画像ｐ６がそれぞれ挿し込まれて表示される。
このように，例えば２ｉｎ１の印刷設定であっても，印字されるべき全てのぺージ画像をめくり返しを行うことで視覚的に確認することができるので，極めて簡単に間違いのない所望のぺージが含まれていることを確認してから印刷処理を行うことができる。
【００１９】
[ステップＳ１０〜Ｓ１１]
そして，前記メイン制御部１は，ステップＳ７又はＳ９の処理の終了後，前記操作部２ａを通じて操作ボタンｇ４〜ｇ６のいずれかの操作がなされたか否かを監視し（Ｓ１０），操作内容に応じた処理，例えば印刷処理などを実行する。
即ち，前記メイン制御部１は，表示対象ページの変更用操作ボタンｇ４の操作（ページ変更操作）がなされた場合，その操作に従って変数ｉの値（ページ番号）を変更し（Ｓ１２），新たに設定したページｉについて，前述したステップＳ５〜Ｓ９の処理を実行する。
例えば，前記メイン制御部１は，ステップＳ１０において，前記表示対象ページの変更用操作ボタンｇ４のうち前ページボタン又は次ページボタンの操作を検知した場合，変数ｉの値を減算（−２）又は加算（＋２）する。また，前記メイン制御部１は，先頭ページボタン又は最終ページボタンの操作を検知した場合，変数の値を１又は前記両面印刷用データにおける最終の奇数ページの値に設定する。また，不図示の数値キーの操作によりページが直接指定された場合，前記メイン制御部１は，その指定ページが奇数であればその指定ページの値を，その指定ページが偶数であれがその指定ページに１を加算した値を変数ｉに設定する。
このように，前記メイン制御部１は，ステップＳ１０において，前記操作部２ｂを通じて入力される情報に基づいて，前記両面印刷用データに基づく両面印刷が行われた場合に，記録紙のおもて面に形成される一の前記ページ画像のページを設定（特定）する（前記ページ特定手段の一例）。
【００２０】
また，前記メイン制御部１は，表前記表示モードの変更用操作ボタンｇ５の操作（モード変更操作）がなされた場合，前記表示モードを変更し（Ｓ１１），新たな表示モードの状態で，前述したステップＳ５〜Ｓ９の処理を実行する。
このように，前記メイン制御部１は，前記操作部２ｂを通じた入力操作に応じて，前記めくり返し画像ｇ１における前記第２の領域ｐ２及び前記第３の領域ｐ３それぞれに，前記両面印刷用データに基づく両面印刷によって前記第２の領域ｐ２及び前記第３の領域ｐ３それぞれに相当する部分に形成される前記ページ画像の一部ｇ２２，ｇ３２をそのまま表示させる状態（図４の状態）と，ステップＳ８の処理でＮｉｎ１の印刷設定された各ページ画像の全体ｇ２３，ｇ３３それぞれを表示させる状態（図５の状態）とを切り替える。
これにより，重ねられた両面印刷のページ画像の内容を視覚的により把握しやすくなる。
また，前記メイン制御部１は，前記終了ボタンｇ６の操作（終了操作）がなされた場合，処理を前述したステップＳ１に戻す。
一方，前記メイン制御部１は，ステップＳ２において，前記初期メニューの表示中に，前記印刷プレビュー操作以外の操作を検知した場合，その操作内容に応じた他の処理を実行し（Ｓ２０），その後，処理を前述したステップＳ１に戻す。
また，前記メイン制御部１は，ステップＳ４において，前記データ記憶部３に処理対象として記憶されている前記印刷用データが，予め片面印刷の対象として選択されている片面印刷用データである（前記両面印刷用データではない）と判別した場合，前記片面印刷用データの印刷プレビュー処理を実行し（Ｓ２１），その後，処理を前述したステップＳ１に戻す。なお，ステップＳ２１の処理は，本発明に係る処理とは特に関係しないので，ここでは説明を省略する。
【００２１】
以上に示した画像形成装置Ｘは，例えば図３又は図４に示されるような前記めくり返し画像ｇ１を含む印刷プレビュー画像を表示部２ｂに表示させるので，両面印刷の印刷結果について，各ページ画像のページ順序及び記録紙における表裏関係の両方を直感的に把握しやすい。
また，前記メイン制御部１が，前記めくり返し画像ｇ１を表示させるか否かを選択する操作ボタン（不図示）の入力に応じて，図３〜図５に示したような前記めくり返し画像ｇ１を含む印刷プレビュー画像と，図６に示すように前記めくり返し画像ｇ１を含まない印刷プレビュー画像とのいずれを前記表示部２ｂに表示させるかを切り替えることも考えられる。
【００２２】
また，図３〜図５に示した例では，前記めくり返し画像ｇ１は，記録紙の右下部がめくり返された状態を表すものを示したが，その他，記録紙の下辺全範囲を含む一部や，記録紙の右上部等がめくり返された状態を表す前記めくり返し画像を印刷プレビュー画像に含めて表示させること等も考えられる。
また，本発明は，以上に示した画像形成装置Ｘが実行する図２に示した処理を，パーソナルコンピュータ等のコンピュータに実行させる印刷プレビュー用プログラムとして実現されることも考えられる。
例えば，コンピュータがプリンタに対して印刷ジョブを送信する前に，そのコンピュータが前記印刷プレビュー用プログラムを実行することにより，グラフィックディスプレイ（表示部）に図３〜図５に示したような印刷プレビュー画像を表示させること等が考えられる。
【実施例】
【００２３】
上で述べた実施形態は，メイン制御部１が予めＮｉｎ１の印刷設定されたぺージ画像を扱う場合に関するものであるが，前記ページ画像が，Ｎ枚の原稿画像が１枚の記録材に印字されているＮｉｎ１形式の画像である場合についても処理しうる。この場合，画像のめくり返しは，前記１枚のページ画像中の前記各原稿画像毎に前記めくり返し画像表示を行うようにすればよい。具体的な有利な実施例としては，例えば，Ｎ枚の原稿画像が１枚の記録材に印字されているＮｉｎ１形式の画像を，前記メイン制御部１が各原稿画像毎のページ画像に分割してそれを前記データ記憶部３に記憶する（本発明のページ分割手段に該当）と共に，めくり返し画像の表示に当っては，上記ページ分割により分割されたページ画像毎に前記めくり返し画像表示を行うようにすればよい。
【産業上の利用可能性】
【００２４】
本発明は，画像形成装置や印刷プレビュー表示処理をコンピュータに実行させるプログラム等に利用可能である。
【図面の簡単な説明】
【００２５】
【図１】本発明の実施形態に係る画像形成装置Ｘの主要部の構成を表すブロック図。
【図２】画像形成装置Ｘにおける印刷プレビュー表示処理の手順を表すフローチャート。
【図３】画像形成装置Ｘにおける印刷プレビュー画面の第１の例を表す図。
【図４】画像形成装置Ｘにおける印刷プレビュー画面の第２の例を表す図。
【図５】画像形成装置ＸにおけるＮｉｎ１の印刷設定における印刷プレビュー画面を示す図。
【符号の説明】
【００２６】
Ｘ  ：画像形成装置
１  ：メイン制御部
２  ：操作・表示部
２ａ：操作部
２ｂ：表示部
３  ：データ記憶部
４  ：画像処理演算部
５  ：ＮＩＣ（ネットワークインターフェースカード）
６  ：スキャナ部
７  ：プリント部
８  ：ファクシミリ部
１１：バス
Ｓ１，Ｓ２，…：処理手順（ステップ）の識別記号
ｇ１：めくり返し画像
【図１】
2010028255.tif 000003
【図２】
2010028255.tif 000004
【図３】
2010028255.tif 000005
【図４】
2010028255.tif 000006
【図５】
2010028255.tif 000007